(57)【要約】【課題】簡単な構成で確実な緩み止め効果を得るとともに安価な緩み止め構造を得る。【解決手段】ねじ３を貫挿するワッシャ２０とナット部材３０との間にワークを挟んで固定するねじ３とナット部材３０との組み合わせ固定構造において、ワッシャ２０は樹脂製であって、これにワークの取付穴２に入る紐状の帯材２３を一体に形成し、しかも、帯材２３はナット部材３０の雌ねじ穴３１に入る長さとし、ねじ３をねじ込むことで帯材２３がねじ３とナット部材３０の雌ねじ穴３１との間に挟み込まれるようにした緩み止め構造であるので、ねじとナット部材とを螺合させるだけで確実な緩み止め効果を発揮することができ、ナット部材を二重にしたり、緩み止め部材とナット部材とを直列に配置する必要がなく、長さを短くすることができる。また、取付穴にナット部材の雌ねじ穴が入ようにすれば、ナット部材の突出量が少ないとともにねじの螺合量も比較的多くなる。【選択図】図１
2006144933.tif 000002
【特許請求の範囲】
【請求項１】
ねじ（３）を貫挿するワッシャ（２０）とナット部材（３０）との間にワークを挟んで固定するようにしたねじとナット部材との組み合わせ固定構造において、
ワッシャは樹脂製であって、このワッシャにワークに形成された取付穴（２）に入る紐状の帯材（２３）を一体に形成し、しかも、この帯材は前記ワークに接するナット部材の雌ねじ穴（３１）に入る長さとし、ワッシャ側からねじをねじ込むことで前記帯材がねじとナット部材の雌ねじ穴との間に挟み込まれるようにしたことを特徴とするねじとナット部材との緩み止め構造。
【請求項２】
帯材は前記ワークの取付穴に入る筒体（２２）を有するワッシャにおいて、この筒体の先端に一体固定されていることを特徴とする請求項１記載のねじとナット部材との緩み止め構造。
【発明の詳細な説明】
【技術分野】
【０００１】
本発明は、ねじとナット部材とによりワークを固定する組み合わせ固定構造であって、特に、ワークとして例えば、眼鏡用のレンズを直接テンプル及びブリッジ等の支持部材に固定して接続するようにしたフレームレス眼鏡において、ねじとナット部材とが互いに緩まないようにしたねじとナット部材との緩み止め構造に関する。
【背景技術】
【０００２】
最近の眼鏡業界においては、縁無し眼鏡、所謂、フレームレスレンズを使用した眼鏡が多く採用されるようになっており、このような眼鏡はレンズを直接ねじとナット部材とにより支持部材に取り付けるようになっている。このようにすることで、眼鏡全体が軽くなるとともにレンズ枠がないため、目の視野が広くなり、そのため、これの需要が増加傾向となっている。このような眼鏡に使用されるねじとしては、通常のねじ山が形成された金属製のねじが主流であり、これらねじ及びナット部材が緩まないようにするために、ばね座金を用いたり、ナット部材を二重にした所謂、ダブルナット構造にする等して緩み止め作用が生じるようにしている。
【０００３】
また、これら金属製のナット部材に代えて、ナット部材を全て樹脂製としたものもあり、この樹脂製のナット部材に金属製のねじを螺合させて、このナット部材の弾性力によりねじ山に抵抗をもたせてねじの緩みを阻止するようにしたものも使用されている（特許文献１参照）。更に、これに代え、図９に示すような構造のものもある。これは、ナット側は、円錐形外面１０６を有する合成樹脂製の内側部材１０５と、この円錐形外面１０６に摺接する円錐形内面１３２を有する外側部材１３０備えたものであって、内側部材１０５はねじ１０３を挿通する貫通穴１０７を備え、すりわり溝１０８によって縮径可能となっている。外側部材１３０は円錐形内面１３２にねじ１０３と螺合する雌ねじ部１３１を備え、外側部材１３０をねじ１０３に螺合することで、内側部材１０５が縮径し、これの貫通穴１０７がねじ１０３に食い込んで緩みを防止するものである（特許文献２参照。）。
【特許文献１】特開平  ８−  ４９７１６号公報
【特許文献２】特開平１１−２３１２６６号公報
【発明の開示】
【発明が解決しようとする課題】
【０００４】
ところが、このようなねじとナット部材とによるワークの取り付けにおいては、ナット部材を二重にするかナット部材とは別に緩み止め作用を生じる部材を設ける必要があり、これら緩み止め部材とナット部材とを直列に配置した長さは必然的に長くなっており、このため、ワークに対してこの締結部が突出した形状となり、厚みの薄い製品に違和感を与えている。特に、これらの部品を使用したレンズの固定構造においては、いずれもねじの頭部をレンズの外側に、ねじの脚部先端をレンズの内側、即ち、顔面側に突出させてナット部材に螺合させ、緊締する構造が眼鏡の美観を重視する面から多く採用されており、そのため、ナット部材はある程度レンズ面から突出しているのが現状である。このように、ナット部材がレンズ面から突出していることで、この眼鏡のレンズ面が汚れてこれを除去するために清掃しようとすると、このナット部材に清掃布あるいは清掃紙が引っ掛かったりしている。また、レンズ面からナット部材が突出していることで、この周囲を完全に拭き取ることができず、汚れが除去できなかった。
【０００５】
本発明はこのような課題を解決するために開発されたもので、簡単な構成で確実な緩み止め効果を得るとともに安価なねじとナット部材との緩み止め構造を得ることを目的としている。
【課題を解決するための手段】
【０００６】
本発明の目的は、ねじ３を貫挿するワッシャ２０とナット部材３０との間にワークを挟んで固定するようにしたねじ３とナット部材３０との組み合わせ固定構造において、ワッシャ２０は樹脂製であって、このワッシャ２０にワークに形成された取付穴２に入る紐状の帯材２３を一体に形成し、しかも、この帯材２３は前記ワークに接するナット部材３０の雌ねじ穴３１に入る長さとし、ワッシャ側からねじ３をねじ込むことで前記帯材２３がねじ３とナット部材３０の雌ねじ穴３１との間に挟み込まれるようにしたねじとナット部材との緩み止め構造とすることで達成される。
【０００７】
また、この構成において、帯材は前記ワークの取付穴２に入る筒体２２を有するワッシャ２０において、この筒体２２の先端に一体固定されているねじとナット部材との緩み止め構造であるので、ねじとナット部材の雌ねじ穴との間に帯材が確実に挟まって螺合されることになり、緩み止め作用が確実に生じることになる。
【発明の効果】
【０００８】
本発明によれば、樹脂製のワッシャをねじの座面側に位置させてこれと一体の帯材をナット部材に入れてねじとナット部材とを螺合させるだけで確実な緩み止め効果を発揮することができ、従来のようにナット部材を二重にしたり、緩み止め部材とナット部材とを直列に配置する必要がなく、長さを短くすることができる。また、ワークの取付穴に雌ねじ穴を有するナット部材の筒体が所定量だけ入り、ナット部材の厚みが少なくなるようにすれば、ワークに対してナット部材の突出量が少ないとともにねじとナット部材との螺合量も比較的多くできるので、緩み止め作用も大きくなる。特に、レンズを支持部材に固定する場合、比較的簡単に緩み止め作用が得られることになり、ナット部材は比較的厚みの薄い金属製とすることができ、レンズの汚れを除去する際にこれがじゃまになって、ナット部材の周囲の汚れが除けないといったことも解消される。しかも、ナット部材はレンズ面から僅かしか突出していないので、汚れの除去に使用する清掃布や紙がこれに引っ掛かり破れるといったこともない等の特有の効果が得られる。
【発明を実施するための最良の形態】
【０００９】
以下、本発明の実施の形態を図１乃至図８に基づき説明する。図１乃至図４は本発明の一実施例を示すものであり、図１及び図２において、１はワークとしての眼鏡用のレンズである。このレンズ１には下穴としての取付穴２が穿設されている。この穴２には一方のレンズ面に樹脂製で一端に鍔部２１を有するワッシャ２０がその座面を接して設けてあり、この鍔部２１には円筒形状の筒体２２が一体成形され、これが前記取付穴２に挿入されている。一方、このワッシャ２０の鍔部２１には支持部材１０が接触固定可能に配置してあり、この支持部材１０には前記レンズ１を組み合わせたときにこのレンズ１の取付穴２と一致するよう同一中心線上にガイド穴１１が形成されている。このガイド穴１１はこれら支持部材１０とレンズ１とを一体固定するねじ３の脚部４が貫挿可能な寸法となっている。
【００１０】
また、前記ワッシャ２０の筒体２２の端部には図３に示すように、これの内面側にワークとしてのレンズ１に形成された取付穴２に入る紐状の帯材２３が一体に形成してあり、しかも、この帯材２３は前記レンズ１にスペーサ５を介して接するナット部材３０の雌ねじ穴３１に入るのに十分な長さを有し、その断面は円形、矩形あるいは扁平形状のいずれであってもよい。この帯材２３はナット部材３０の雌ねじ穴３１に螺合されるねじ３との間に生じる隙間に嵌り、緩み止め作用を発揮するのに十分な厚みあるいは太さとなっており、この厚みあるいは太さは緩み止め力の大きさによって任意に選択可能である。更に、前記ワッシャ２０は筒体２２を有する形状となっているが、この筒体２２を除いた板状のワッシャであってもよく、この場合は、ワッシャの内面側にレンズ１に形成された取付穴２に入る前記と同様な紐状の帯材２３を一体に形成した形状にすればよい。
【００１１】
そして、このようなワッシャ２０を使用してこれら取付穴２とガイド穴１１とを貫通するねじ３をワッシャ側からねじ込むことで、レンズ１を支持部材１０に緩み止め作用を有して取り付けるようになっている。また、この支持部材１０にはレンズ取付側のレンズ１の外周面が接触する面にレンズ止め部１２が形成されており、これにより、レンズ１の外周面が支えられるようになっている。
【００１２】
一方、レンズ１の前記ワッシャ２０の反対側、即ち、前記レンズ１を貫通するねじ３の螺入開始側の反対側には前記取付穴２に挿入される円筒形状のフランジ部３２を有するナット部材３０が配置してあり、図１に示すように、このフランジ部３２の内面には前記ねじ３が螺合可能なようにねじ山が少なくとも２山以上形成された雌ねじ穴３１を有している。このナット部材３０の外周形状は六角形状となっており、この部分にこの形状に対応する形状のナット回し部材（図示せず）を嵌め合わせてねじ３との螺合を可能にしている。この外周形状は六角形以外の矩形形状であってもよく、特にこの形状に限定するものではない。
【００１３】
更に、このナット部材３０の雌ねじ穴３１において、前記ねじ３の脚部４が螺入される入り口側にはテーパ形状の面取り部３３が形成してあり、これにより、螺入開始時において、雌ねじ穴３１へのねじ３の螺入が容易になっている。このナット部材３０は金属板材を圧造打抜き加工することによって形成され、前記雌ねじ穴３１が形成されている円筒の前記フランジ部３２はバーリング加工により前記板材の厚みの少なくとも２倍以上の長さが得られるようになっている。
【００１４】
このように構成されたワッシャ２０及びナット部材３０を用いてレンズ１を固定する場合においては、図１に示すように、支持部材１０のレンズ止め部１２にレンズ１の外周面を接触させるように且つ支持部材１０のガイド穴１１にレンズ１の取付穴２を一致させながら嵌め合わせる。このとき、レンズ１にはワッシャ２０の筒体２２が取付穴２に嵌め合わされて挿入してあり、レンズ１のねじ３の螺入開始側と反対側にはナット部材３０のフランジ部３２が樹脂製で円板形状のスペーサ５をレンズ１との間に介在させた状態で嵌め合わされて配置される。
【００１５】
この後、ねじ３を支持部材側からガイド穴１１に挿入し、ねじ３を螺入すると、図４に示すように、ねじ３はナット部材３０の雌ねじ穴３１に螺合されてレンズ１を支持部材１０とナット部材３０との間に挟み込むことになる。この状態において、ワッシャ２０の帯材２３はナット部材３０の雌ねじ穴３１に位置しているからこの雌ねじ穴３１とねじ３との間で挟まれ、ねじ３とナット部材３０が螺合されると、緩み止め作用が生じることになり、レンズ１は強固に支持部材１０に取り付けられる。このようにしてレンズ１が取り付け固定された後、ナット部材３０に緩みが生じても、このナット部材３０とねじ３との間には緩み止め作用が持続することになる。尚、帯材２３の端がナット部材３０から出ている場合は、これを切り落とせばよい。
【００１６】
また、図５乃至図８は本発明の他の実施例であり、この実施例では前記ナット部材３０を異なる形状としたものであって、ワッシャ２０は前記実施例と同様であるので、前記実施例とは異なるナット部材３０を中心に述べる。この実施例における支持部材１０にはレンズ取付側のレンズ外周面が接触する面にレンズ止め部１２が形成してあり、このレンズ止め部１２の高さはレンズ１の厚みに加えて少なくともナット部材３０の厚みを加えた寸法にあらかじめ設定されている。
【００１７】
しかも、前記実施例ではナット部材３０はその外周が六角形状であったが、これに代えて、ナット部材３０は図５及び図６に示すように、円板形状であり、これにはその側面に前記支持部材１０のレンズ止め部１２に端部が接触する延設部片３４が一体に形成されている。このナット部材３０の延設部片３４はねじ３が螺合されるねじ山が形成された雌ねじ穴３１の中心からこれの端面までの距離が前記レンズ１の取付穴２の中心からレンズ止め部１２に接触するレンズ１の外周面までの距離に等しいか僅かに短くなった構成となっている。このため、ねじ３とナット部材３０が螺合されるときに延設部片３４はレンズ止め部１２に接触する位置まで移動し、このレンズ止め部材１２に係止されるようになっている。これにより、ナット回し部材が不要になり、ねじ３を螺入するだけでナット部材３０との螺合が可能になっている。
【００１８】
このように構成されたナット部材３０を用いて支持部材１０にレンズ１を取り付け固定する場合は、図７に示すように、支持部材１０のレンズ止め部１２にレンズ１の外周面を接触させるように且つ支持部材１０のガイド穴１１にレンズ１の取付穴２を一致させながら嵌め合わせる。このとき、レンズ１にはワッシャ２０が取付穴２に嵌め合わされており、レンズ１のねじ３の螺入開始側と反対側にはナット部材３０のフランジ部３２がスペーサ５をレンズ１との間に介在させた状態で嵌め合わされて配置されているから、帯材２３は雌ねじ穴３１内に入った状態となっている。この後、ねじ３を支持部材側からガイド穴１１に挿入し、ねじ３を螺入すると、図８に示すように、ねじ３はナット部材３０の雌ねじ穴３１に螺合されてレンズ１を支持部材１０とナット部材３０との間に挟み込むこととともに、ねじ３とナット部材３０との間には緩み止め作用が生じている。この状態において、ナット部材３０の延設部片３４は支持部材１０のレンズ止め部１２に端部が接する状態となるから、ナット部材３０はねじ３の螺入時に供回りせずにねじ３とナット部材３０は螺合を続け、レンズ１は強固に支持部材１０に取り付けられる。
【００１９】
一方、このようにしてレンズ１が取り付け固定された後、ナット部材３０に緩みが生じても、このナット部材３０は延設部片３４の端部が支持部材１０のレンズ止め部１２に接触しているので、ナット部材３０の緩みは阻止されるとともに、ナット部材３０の雌ねじ穴３１とねじ３との間には帯材２３が嵌っているので、この間においても緩みは阻止されることになる。このため、ナット部材３０にねじ３の緩みが生じても、ねじ３をナット部材３０に再び螺入するだけで確実にナット部材３０とねじ３とを固定することができる。
【図面の簡単な説明】
【００２０】
【図１】本発明の使用状態を示す一実施例の断面正面図である。
【図２】図１の底面図である。
【図３】本発明に係るワッシャの拡大断面正面図である。
【図４】支持部材にレンズを取り付けた状態を示す一実施例の断面正面図である。
【図５】本発明の他の実施例に使用するナット部材の拡大断面正面図である。
【図６】図５の底面図である。
【図７】本発明の使用状態を示す他の実施例の断面正面図である。
【図８】支持部材にレンズを取り付けた状態を示す他の実施例の断面正面図である。
【図９】本発明の従来例を示す断面図である。
【符号の説明】
【００２１】
１  レンズ
２  取付穴
３  ねじ
４  脚部
５  スペーサ
１０  支持部材
１１  ガイド穴
１２  レンズ止め部
２０  ワッシャ
２１  鍔部
２２  筒体
２３  帯材
３０  ナット部材
３１  雌ねじ穴
３２  フランジ部
３３  面取り部
３４  延設部片
【図１】
2006144933.tif 000003
【図２】
2006144933.tif 000004
【図３】
2006144933.tif 000005
【図４】
2006144933.tif 000006
【図５】
2006144933.tif 000007
【図６】
2006144933.tif 000008
【図７】
2006144933.tif 000009
【図８】
2006144933.tif 000010
【図９】
2006144933.tif 000011